(57)【要約】【課題】使用者の利便性を向上できる身体支持装置を提供する。【解決手段】身体支持装置１は、本体２１と、本体２１から上方に延びる柵３３と、柵３３から本体２１の外側に延びる第１の状態Ｐ１と、柵３３から本体２１の内側に延びる第２の状態と、に切替えできる第１部材３５と、を備える。【選択図】図３
2020048953.tif 000002
【特許請求の範囲】
【請求項１】
本体と、
前記本体から上方に延びる柵と、
前記柵から前記本体の外側に延びる第１の状態と、前記柵から前記本体の内側に延びる第２の状態と、に切替えできる第１部材と、
を備える身体支持装置。
【請求項２】
前記第１部材は、前記柵と同一面上に配置される第３の状態に切替えできる請求項１に記載の身体支持装置。
【請求項３】
前記第１部材は、前記柵に対する上下方向の位置を調節できる請求項１又は２に記載の身体支持装置。
【発明の詳細な説明】
【技術分野】
【０００１】
本発明は、身体支持装置に関する。
【背景技術】
【０００２】
従来、例えば、特許文献１から３に記載の身体支持装置が知られている。
【先行技術文献】
【特許文献】
【０００３】
【特許文献１】特許第３９３０６９２号公報
【特許文献２】特許第４３３４３１３号公報
【特許文献３】実用新案登録第３１７９８１４号公報
【発明の概要】
【発明が解決しようとする課題】
【０００４】
本発明は、使用者の利便性を向上できる身体支持装置を提供する。
【課題を解決するための手段】
【０００５】
本発明に係る身体支持装置は、本体と、前記本体から上方に延びる柵と、前記柵から前記本体の外側に延びる第１の状態と、前記柵から前記本体の内側に延びる第２の状態と、に切替えできる第１部材と、を備える。
【図面の簡単な説明】
【０００６】
【図１】本発明の一実施形態のベッドにおける背ボトム及び脚ボトムを下げた状態の斜視図である。
【図２】本発明の一実施形態のベッドにおける背ボトムを上げ、脚ボトムを下げた状態の斜視図である。
【図３】本発明の一実施形態のベッドにおける第１部材が第１の状態である第１柵の斜視図である。
【図４】本発明の一実施形態のベッドにおける第１柵の動作を模式的に示す図である。
【図５】本発明の一実施形態のベッドにおける第１柵の軸体を第４支柱から取り外した状態を示す斜視図である。
【図６】図３中の切断線Ａ１−Ａ１の断面図である。
【図７】本発明の一実施形態のベッドにおける第１柵の軸体を第４支柱から取り外した状態を示す斜視図である。
【図８】本発明の一実施形態のベッドにおける第１部材と支持機構との嵌め合いを解除した状態を示す斜視図である。
【図９】本発明の一実施形態のベッドにおける第１部材に嵌め合った支持機構の斜視図である。
【図１０】本発明の一実施形態のベッドにおける第１部材が第２の状態である第１柵の斜視図である。
【図１１】図１０中の切断線Ａ２−Ａ２の断面図である。
【図１２】本発明の一実施形態のベッドにおける第１部材が第３の状態である第１柵の斜視図である。
【図１３】図１２中の切断線Ａ３−Ａ３の断面図である。
【図１４】本発明の一実施形態のベッドにおける第１柵の第２昇降機構を第２の状態にしたときの斜視図である。
【発明を実施するための形態】
【０００７】
以下、本発明に係る身体支持装置の一実施形態を、身体支持装置がベッドである場合を例にとって、図１から図１４を参照しながら説明する。なお、身体支持装置はベッドに限定されず、椅子、ソファ等でもよい。
図１に示す本実施形態のベッド１は、例えば床面上に設置されている。
なお、図１を含む各図において、符号Ｘはベッド１の長手方向に沿った第１方向を示す。符号Ｙはベッド１の幅方向に沿った第２方向を示し、符号Ｚは上下方向に沿った第３方向を示す。第２方向Ｙは、第１方向Ｘに直交する方向である。第３方向Ｚは、第１方向Ｘ及び第２方向Ｙにそれぞれ直交する方向である。第１方向Ｘ及び第２方向Ｙは、水平面に沿う方向である。
【０００８】
ベッド１の第１方向Ｘの長さは、ベッド１の第２方向Ｙの長さよりも長い。第１方向Ｘは、ベッド１上に横たわる使用者の全身に沿う方向である。
ベッド１は、使用者を支持するボトム１１と、ボトム１１を支持する架台（本体）２１と、第１柵３１、第２柵７１と、を備えている。ベッド１は、電力を動力源として動作する電動ベッドである。
【０００９】
ボトム１１は、背ボトム（Back section）１２と、腰ボトム（Seat section）１３と、脚ボトム（Leg section）１４と、を備えている。これら背ボトム１２、腰ボトム１３、及び脚ボトム１４は、第１方向Ｘに沿ってこの順で並んでいる。背ボトム１２は、使用者の背を支える。腰ボトム１３は、使用者の腰を支える。脚ボトム１４は、使用者の脚を支える。
なお、図１では、後述する背上げ機構及び膝上げ機構により、背ボトム１２及び脚ボトム１４を下げた状態を示している。
【００１０】
脚ボトム１４は、膝ボトム（Upper leg section）１５と、足ボトム（Lower leg section）１６と、を備えている。これら膝ボトム１５及び足ボトム１６は、第１方向Ｘに沿ってこの順で並んでいる。膝ボトム１５は、足ボトム１６よりも腰ボトム１３の近くに配置されている。膝ボトム１５は、使用者の膝から腰を支える。足ボトム１６は、使用者の膝から足先を支える。
ボトム１１上には、マットレス１７が配置されている。マットレス１７上に、使用者が横たわる。
【００１１】
架台２１は、床面に設置されるベースフレーム２２と、ボトム１１を支持するメインフレーム２３と、ベースフレーム２２に対してメインフレーム２３を昇降させる第１昇降機構（不図示）と、背ボトム１２をメインフレーム２３に対して移動させる背上げ機構（不図示）と、膝ボトム１５をメインフレーム２３に対して移動させる膝上げ機構（不図示）と、を備えている。
【００１２】
なお、図２では、背上げ機構により背ボトム１２を上げ、膝上げ機構により脚ボトム１４を下げた状態を示している。
【００１３】
図１及び図３に示すように、第１柵３１は、脚ボトム１４寄りのメインフレーム２３に固定されている。なお、図３等のように、第１柵３１の説明に用いる図では、ベッド１における第１柵３１以外の構成を二点鎖線で示す場合がある。
第１柵３１は、第２昇降機構３２と、第１本体（柵）３３と、軸体３４と、第１部材３５と、支持機構３６と、を備えている。なお、図３では、第１本体３３に対して第１部材３５が後述する第１の状態Ｐ１である場合を示している。
【００１４】
第２昇降機構３２は、平行リンク機構を備えている。図４に示すように、例えば第２昇降機構３２の下方の端部は、メインフレーム２３に固定されている。第２昇降機構３２の上方の端部は、第１本体３３に固定されている。第２昇降機構３２は、メインフレーム２３に対して第１本体３３が上方に配置された第１の状態Ｐ６と、第１本体３３が第１の状態Ｐ６と比べて下方に配置された第２の状態Ｐ７と、に切換えできる。
第２昇降機構３２は、第１の状態Ｐ６と第２の状態Ｐ７のいずれかの状態になる場合に限定されることなく、例えば第１の状態Ｐ６から第２の状態Ｐ７に移動する途中の状態で第２昇降機構３２が保持されてもよい。
なお、図１に示すベッド１において、第１柵３１の第２昇降機構３２は、第１の状態Ｐ６である。
【００１５】
図３に示すように、第１本体３３は、第２部材３９と、第１支柱４１と、第３部材４３と、第３昇降機構４４と、を備えている。
第２部材３９は、第２方向Ｙに見たときに上方が開口するＵ字状を呈している。第２部材３９は一体に形成されているが、以下では便宜上、第２部材３９を点線により複数の領域に分けて説明する。
第２部材３９は、第１領域３９ａと、第２領域３９ｂと、第３領域３９ｃと、を備えている。
【００１６】
第１領域３９ａは、板状に形成されている。第１領域３９ａは、表裏面が第２方向Ｙを向くように配置されている。第１領域３９ａの第１方向Ｘの長さは、第１領域３９ａの第３方向Ｚの長さよりも長い。第１領域３９ａの下端部における第１方向Ｘの中央部に、第２昇降機構３２の上端部が固定されている。
第２領域３９ｂ及び第３領域３９ｃは、それぞれ柱状に形成されている。第２領域３９ｂ及び第３領域３９ｃは、それぞれ第３方向Ｚに沿って延びるように配置されている。
第２領域３９ｂは、第１領域３９ａにおける第１方向Ｘの第１端部から上方に向かって延びている。第３領域３９ｃは、第１領域３９ａにおける第１方向Ｘの第１端部とは反対の第２端部から上方に向かって延びている。
【００１７】
第２領域３９ｂにおける第３領域３９ｃに対向する面には、切欠き３９ｄが形成されている。切欠き３９ｄは、第３領域３９ｃの第３方向Ｚの全長にわたって形成されている。
第２領域３９ｂには、第２領域３９ｂを貫通する第１孔（不図示）が形成されている。第１孔は、第２領域３９ｂを第２方向Ｙに貫通する。第１孔には、後述するピン４９が挿入される。
【００１８】
第１支柱４１は、柱状に形成されている。第１支柱４１は、第３方向Ｚに沿って延びる。第１支柱４１は、第２部材３９の第２領域３９ｂと第３領域３９ｃとの間に配置されている。第１支柱４１は、第１領域３９ａにおける第１方向Ｘの中間部から上方に向かって延びている。
第１支柱４１における第２領域３９ｂに対向する面には、切欠き４１ａが形成されている。切欠き４１ａは、第１支柱４１の第３方向Ｚの全長にわたって形成されている。
第１支柱４１には、第１支柱４１を貫通する第２孔（不図示）が形成されている。第２孔は、第２領域３９ｂを第２方向Ｙに貫通する。第２孔には、後述するピン５０が挿入される。
【００１９】
第３部材４３は、柱状に形成されている。第３部材４３は、第１方向Ｘに沿って延びるように配置され、第２部材３９の第３領域３９ｃの上端部と第１支柱４１の上端部とを連結している。第３部材４３、第１領域３９ａ、第３領域３９ｃ、及び第１支柱４１の間に、空間が形成されている。
【００２０】
第３昇降機構４４は、例えば、第４支柱４７，４８と、ピン４９，５０と、を備えている。
第４支柱４７は、柱状に形成されている。第４支柱４７の外面には、第４支柱４７の長手方向に互いに間隔を空けて貫通孔（不図示）が複数形成されている。第４支柱４７は、第３方向Ｚに沿って延びるように配置され、第４支柱４７の下端部は第２領域３９ｂの切欠き３９ｄ内に配置されている。
第４支柱４８は、第４支柱４７と同様に構成されている。第４支柱４８の外面には、第４支柱４８の長手方向に互いに間隔を空けて貫通孔４８ａが複数形成されている。図３及び図５に示すように、第４支柱４８の端には、切欠き４８ｂが形成されている。第４支柱４８は、第３方向Ｚに沿って延び、切欠き４８ｂが第４支柱４８の上端部に位置するように配置されている。第４支柱４８の下端部は、第１支柱４１の切欠き４１ａ内に配置されている。切欠き４８ｂは、第４支柱４８の上端から下方に向かって延びている。切欠き４８ｂは、第４支柱４７に向かって開口している。
【００２１】
ピン４９は、第２領域３９ｂの前記第１孔内、及び第４支柱４７の貫通孔内にそれぞれ配置されている。ピン４９が第４支柱４７の貫通孔に嵌まることにより、第２領域３９ｂに対して第４支柱４７が第３方向Ｚに移動できなくなる。一方で、第４支柱４７の貫通孔内からピン４９を引き抜くと、第２領域３９ｂに対して第４支柱４７が第３方向Ｚに移動できる（図１０参照）。
第２領域３９ｂに対して第４支柱４７が移動した位置で、ピン４９を第４支柱４７の貫通孔に嵌め合わせると、第２領域３９ｂに対して第４支柱４７が第３方向Ｚに移動できなくなる。
【００２２】
ピン５０は、第１支柱４１の前記第２孔内、及び第４支柱４８の貫通孔４８ａ内にそれぞれ配置されている。ピン５０は、ピン４９と同様に、第１支柱４１に対する第４支柱４８の第３方向Ｚへの移動の可否を切り替える。
【００２３】
図５及び図６に示すように、軸体３４は円柱状に形成されている。図６に示すように、軸体３４の外周面には突起３４ａが形成されている。突起３４ａは、軸体３４の外周面における軸体３４の長手方向の中央部に形成されている。例えば、軸体３４の軸線に対する突起３４ａの中心角度θ１は約４５°である。
【００２４】
図３に示すように、軸体３４の第１端部は、第４支柱４７の上端部とヒンジ５３を介して接続されている。図７に示すように、ヒンジ５３により、軸体３４は、第４支柱４７に対して第２方向Ｙに平行な軸線周りに回転できる。例えば、ヒンジ５３内で生じる摩擦力により、第４支柱４７に対して軸体３４を前記軸線周りの所望の向きで保持することができる。
軸体３４は、第４支柱４８の切欠き４８ｂに嵌まることにより、第４支柱４８に連結される。このとき、軸体３４の軸線は、第１方向Ｘに平行となる。さらにこのとき、軸体３４は、第４支柱４７，４８の上端部に対して軸線周りに回転できない。
なお、第４支柱４７に対する軸体３４の向きを保持するために、ヒンジ５３がラチェット機構等の嵌合構造を備えてもよいし、回転可能状態と回転不能状態とを切換えできる構造を備えてもよい。
【００２５】
図３に示すように、軸体３４における第１端部とは反対の第２端部は、第４支柱４８の切欠き４８ｂに嵌め合っている。
【００２６】
図７に示すように、第１部材３５は、第１部材３５の厚さ方向にみて矩形の板状に形成されている。本実施形態では、第１部材３５の第１の面の中央部には、第１部材３５の厚さ方向にみて円形状の凹み３５ａが形成されている。一方で、図３に示すように、第１部材３５の第１の面とは反対側の第２の面の中央部は、窪んでいなく平坦である。
第１部材３５は、第１部材３５の長辺が第１方向Ｘに沿うように配置されている。
図６に示すように、第１部材３５の縁部には、第１方向Ｘに沿って貫通孔５６が形成されている。貫通孔５６は、円柱状に形成されている。貫通孔５６の内径は、軸体３４の外径よりも大きい。貫通孔５６の内周面には、突起５６ａが形成されている。突起５６ａは、第１方向Ｘに沿って延びている。例えば、貫通孔５６の軸線に対する突起５６ａの中心角度θ２は約４５°である。
【００２７】
第１部材３５の貫通孔５６内には、軸体３４が配置されている。第１部材３５は、軸体３４及び第３昇降機構４４を介して第１柵３１の第１本体３３に設けられている。図６に示す第１本体３３に対して第１部材３５が第１の状態Ｐ１である場合には、第１部材３５は、第１本体３３から第２方向Ｙに沿い、かつ架台２１の外側に向かって延びている。ここで言う架台２１の外側とは、第３方向Ｚにみて架台２１に重ならない範囲のことを意味する。
このとき、第１部材３５は架台２１よりも上方に配置されている。軸体３４の突起３４ａと第１部材３５の突起５６ａとは、離れていて接触していない。
【００２８】
図８に示すように、第１部材３５の第１の面における第１方向Ｘの各端部には、切欠き５７がそれぞれ形成されている（一方の切欠き５７は、図９参照）。各切欠き５７は、第１方向Ｘにそれぞれ開口している。
【００２９】
図３に示すように、第１柵３１は、支持機構３６を一対備えている。
図８及び図９に示すように、支持機構３６は、第１リンク部材６０と、第２リンク部材６１と、突起６２と、を備えている。
第１リンク部材６０は、第１片（Piece）６０ａと、第１突部６０ｂと、を備えている。第１片６０ａは、第１片６０ａの厚さ方向にみて板状をなしている。第１片６０ａの第１端部は、リベット等の軸体６４により、第４支柱４８（第４支柱４７）に対して第１方向Ｘに沿う軸線周りに回転できる。
第１片６０ａは、軸体６４から上方に向かうに従い漸次、架台２１における第２方向Ｙの外側に向かって延びている。
【００３０】
第１突部６０ｂは、第１片６０ａの下方の長辺側の縁部から第１片６０ａの厚さ方向に突出している。第１突部６０ｂは、第１片６０ａの長手方向のほぼ全長にわたって設けられている。
【００３１】
第２リンク部材６１は、第２片６１ａと、第２突部６１ｂと、を備えている。第２片６１ａは、第２片６１ａの厚さ方向にみて板状をなしている。第２片６１ａの第１端部は、軸体６５により、第１リンク部材６０の第１片６０ａにおける第１端部とは反対の第２端部に対して第１方向Ｘに沿う軸線周りに回転できる。
第２片６１ａは、軸体６５から上方に向かうに従い漸次、架台２１における第２方向Ｙの外側に向かって延びている。
【００３２】
第２突部６１ｂは、第２片６１ａの下方の長辺側の縁部から第２片６１ａの厚さ方向に突出している。第２突部６１ｂは、第１突部６０ｂが第１片６０ａから突出する向きと同じ向きに突出している。第２突部６１ｂは、第２片６１ａの長手方向のほぼ全長にわたって設けられている。
第２突部６１ｂは、第１リンク部材６０の第１突部６０ｂに対して第１片６０ａの長手方向に接触している。これにより、第１リンク部材６０に対して第２リンク部材６１が、軸体６５周りの第１の向きＤ１に回転できない。一方で、第１リンク部材６０に対して第２リンク部材６１は、軸体６５周りの第１の向きＤ１とは反対の第２の向きＤ２に回転できる。
【００３３】
突起６２は、第２リンク部材６１の第２片６１ａにおける第１端部とは反対の第２端部に固定されている。突起６２は、第１部材３５の切欠き５７に嵌まり、切欠き５７に対して着脱できる。
【００３４】
このように構成された支持機構３６では、第１の状態Ｐ１である第１部材３５の第２の面に下方に向かって荷重が作用したときに、第１リンク部材６０に対して第２リンク部材６１が軸体６５周りの第１の向きＤ１に回転するような力が作用する。このため、支持機構３６が、第４支柱４７，４８と第１部材３５との間を支持するように機能し、第１の状態Ｐ１である第１部材３５は、所定の大きさの荷重を支持できる。
一方で、支持機構３６の突起６２を第１部材３５の切欠き５７から取り外し、第１リンク部材６０に対して第２リンク部材６１を第２の向きＤ２に回転させ、図１０に示すようにリンク部材６０，６１及び第２領域３９ｂ（第１支柱４１）を第１方向Ｘに重ねる。すると、例えば、第２領域３９ｂと第１リンク部材６０との間、第１リンク部材６０と第２リンク部材６１との間にそれぞれ作用する摩擦力等により、第２領域３９ｂに対するリンク部材６０，６１の位置が保持される。
【００３５】
図１０に示すように、第１柵３１において、第１部材３５を軸体３４周りに回転して、第１部材３５を、第１本体３３から第２方向Ｙに沿い、かつ架台２１の内側に向かって延びる第２の状態Ｐ２にする。ここで言う架台２１の内側とは、第３方向Ｚにみて架台２１に重なる範囲のことを意味する。
このとき、図１１に示すように、第１部材３５が軸体３４周りの第１の向きＤ３に回転すると、軸体３４の突起３４ａと第１部材３５の突起５６ａが接触する。第１本体３３に対して第１部材３５が、軸体３４周りの第１の向きＤ３に回転できなくなる。
第２の状態Ｐ２の第１部材３５は、ベッド１上に横たわる使用者等のためのテーブルとして用いられる。第２の状態Ｐ２の第１部材３５上には、コップや小物等が置かれる。
【００３６】
図１２に示すように、第１柵３１において、第１部材３５を軸体３４周りに回転して、第１部材３５を、第１本体３３と同一面上に配置し、第１部材３５の表裏面が第２方向Ｙを向く第３の状態Ｐ３にする。このとき、図１３に示すように、第１部材３５が軸体３４周りの第１の向きＤ３とは反対の第２の向きＤ４に回転すると、軸体３４の突起３４ａが第１部材３５の突起５６ａに接触する。第１本体３３に対して第１部材３５が、軸体３４周りの第２の向きＤ４に回転できなくなる。
第３の状態Ｐ３の第１部材３５は、支柱４７，４８の間に第１部材３５を収納する際に用いられる。第１部材３５が第３の状態Ｐ３である第１柵３１は、第１部材３５が第１の状態Ｐ１及び第２の状態Ｐ２である第１柵３１に比べて第２方向Ｙに薄い。
【００３７】
このように、使用者は、第１部材３５を第１の状態Ｐ１と、第２の状態Ｐ２と、第３の状態Ｐ３と、に切替えできる。１回転を表す３６０°から、突起３４ａの中心角度約４５°及び突起５６ａの中心角度約４５°を引いた角度は、約２７０°になる。第１部材３５は、軸体３４周りに約２７０°回転する。約２７０°回転する範囲の第１端で第１部材３５は第１の状態Ｐ１になり、前記範囲における第１端とは反対の第２端で第１部材３５は第２の状態Ｐ２になる。前記範囲の中間部において、第１部材３５は第３の状態Ｐ３になる。
そして、第１部材３５は軸体３４を介して第３昇降機構４４の第４支柱４７，４８に支持されているため、使用者は、ピン４９，５０を操作することにより、第１本体３３に対する第１部材３５の第３方向Ｚの位置を調節できる。
【００３８】
図１に示すように、第２柵７１は、柵である。第２柵７１は、脚ボトム１４寄りのメインフレーム２３に固定されている（以下この棚を、第２柵７１Ａとも言う）。また、第２柵７１は、背ボトム１２寄りのメインフレーム２３に固定されている（以下この棚を、第２柵７１Ｂとも言う）。
図２に示すように、一対の第２柵７１Ｂは、背ボトム１２を上げる際に上がる追従柵である。なお、背ボトム１２を上げても一対の第２柵７１Ｂが上がらないように、一対の第２柵７１Ｂをベースフレーム２２等に固定してもよい。第２柵７１Ａについても同様である。
【００３９】
なお、図１４に示すように、第１柵３１の第２昇降機構３２を第２の状態Ｐ７にし、第３昇降機構４４により第１本体３３に対する第１の状態Ｐ１の第１部材３５の高さを調節すると、第１部材３５の上面とマットレス１７の上面とが、互いに面一になる。
【００４０】
以上のように構成されたベッド１は、以下のように使用される。
使用者がベッド１上に横たわるときには、例えば図２に示すように、背上げ機構により背ボトム１２を上げる。第１柵３１において、第２昇降機構３２を第１の状態Ｐ６に切換え、第１部材３５を第２の状態Ｐ２に切換える。第４支柱４８の切欠き４８ｂと軸体３４の第２端部との嵌め合いを解除し、第１部材３５をヒンジ５３周りに回転して、第１部材３５を所望の向きに保持する。使用者は、第１部材３５の凹み３５ａにコップ等を置いて、テーブルとして第１部材３５を用いる。
【００４１】
図１４に示すように、ベッド１からベッド１の外部のポータブルトイレ１０１等に移乗するときには、ベッド１を図１４に示すように構成した状態で、第１部材３５に並べてポータブルトイレ１０１を配置する。使用者は、マットレス１７上から第１部材３５上を伝わって、ポータブルトイレ１０１に移乗する。
なお、ベッド１の外部のポータブルトイレ１０１等からベッド１に移乗するときに、第１の状態Ｐ１の第１部材３５を用いてもよい。
【００４２】
以上説明したように、本実施形態のベッド１によれば、第１部材３５は第１の状態Ｐ１と第２の状態Ｐ２とに切換えできる。従って、第１の状態Ｐ１の第１部材３５を移乗用に用いるとともに、第２の状態Ｐ２の第１部材３５をテーブルとして用いることにより、使用者の利便性を向上できる。
第１部材３５は、第３の状態Ｐ３に切換えできる。これにより、第３の状態Ｐ３の第１部材３５を備える第１柵３１を、第１柵３１（第１本体３３）の厚さ方向である第２方向Ｙに薄く構成することができる。
第１部材３５は、第３昇降機構４４により第１本体３３に対する第３方向Ｚの位置を調節できる。このため、第１本体３３に対する第１部材３５の第３方向Ｚの位置を、使用者が要望する高さに調節できる。
【００４３】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、第１部材３５は第３の状態Ｐ３に切換えできないように構成してもよい。この場合、例えば、第１部材がフレームの上端部に水平面に沿って設けられ、フレームに対して第１部材が第２方向Ｙにスライドできてもよい。
第１柵３１の第１本体３３が、第３昇降機構４４及びヒンジ５３を備えなくてもよい。
【符号の説明】
【００４４】
１    身体支持装置
２１  架台（本体）
３３  第１本体（柵）
３５  第１部材
Ｐ１  第１の状態
Ｐ２  第２の状態
Ｐ３  第３の状態
【図１】
2020048953.tif 000003
【図２】
2020048953.tif 000004
【図３】
2020048953.tif 000005
【図４】
2020048953.tif 000006
【図５】
2020048953.tif 000007
【図６】
2020048953.tif 000008
【図７】
2020048953.tif 000009
【図８】
2020048953.tif 000010
【図９】
2020048953.tif 000011
【図１０】
2020048953.tif 000012
【図１１】
2020048953.tif 000013
【図１２】
2020048953.tif 000014
【図１３】
2020048953.tif 000015
【図１４】
2020048953.tif 000016